(57)【要約】【課題】取り付けられた鳥類が自力で取り外すことのない鳥類用足環を提供する。【解決手段】一部切欠環形状をなし、弾性変形可能な帯状本体部１０と、帯状本体部１０の長手方向一端に形成された凸状嵌合部２０と、帯状本体部１０の長手方向他端に形成された凹状嵌合部３０と、を具備し、帯状本体部１０の長手方向両端が互いに帯状本体部１０の径方向にのみ相対移動して、凸状嵌合部２０及び凹状嵌合部３０が互いに嵌合してなる鳥類用足環１である。【選択図】図１
2018068197.tif 000002
【特許請求の範囲】
【請求項１】
鳥類の足に取り付けられる鳥類用足環であって、
一部切欠環形状をなし、かつ弾性変形可能な帯状本体部と、
前記帯状本体部の長手方向一端に形成された一側嵌合部と、
前記帯状本体部の長手方向他端に形成された他側嵌合部と、
を具備し、
前記帯状本体部の長手方向両端が互いに当該帯状本体部の径方向にのみ相対移動するように前記帯状本体部を弾性変形させて、前記一側嵌合部及び前記他側嵌合部が互いに嵌合してなる
ことを特徴とする鳥類用足環。
【請求項２】
前記一側嵌合部は、前記帯状本体部の長手方向一端から周方向に沿って凸設されてなる凸状嵌合部であり、
前記他側嵌合部は、前記帯状本体部の長手方向他端から周方向を深さ方向として凹設されてなり、かつ前記凸状嵌合部が挿入される挿入用開口部を有する凹状嵌合部であり、
前記凹状嵌合部の前記挿入用開口部は、前記帯状本体部の径方向にのみ開口している
請求項１に記載の鳥類用足環。
【請求項３】
前記帯状本体部の外面には、識別情報が表示される情報表示面が形成されており、
前記情報表示面の周囲には、当該帯状本体部の周方向に沿って形成され、かつ、径方向外側に向かって突出するリブが形成されている
請求項１又は請求項２に記載の鳥類用足環。
【発明の詳細な説明】
【技術分野】
【０００１】
本発明は、鳥類の足に取り付けられる鳥類用足環に関する。
【背景技術】
【０００２】
従来、鳥類の足に取り付けられる識別用足環としては、例えば特許文献１に示されるようなものが提案されている。具体的には、持ち主表示プレートが着脱可能に取り付けられたマイクロチップ内蔵の鳩足環が提案されている。
【０００３】
また、例えば金属製の帯板の長手方向両端をそれぞれ当接させて環状にした足環も市場に多数出回っている。
【先行技術文献】
【特許文献】
【０００４】
【特許文献１】特開２００２−３６０１０３号公報
【発明の概要】
【発明が解決しようとする課題】
【０００５】
しかしながら、図４に示すような従来からある足環１００を鳥類の足Ｌに取り付けると、鳥類の習性上、足環における両端同士を当接させた箇所を執拗につついて隙間をつくり、さらにその隙間を拡開させて自力で足環を外してしまうという問題があった。かかる問題は、重量が軽く比較的柔らかい金属材料を採用した場合に特に問題となる。また、本発明者の分析によって、鳥類は前記足環１００の両端を足環１００の軸方向にずらして足環１００をねじり、そして隙間を広げて足環１００を外してしまう習性をもつこともわかってきた。
【０００６】
そこで本発明は、鳥類によって取り外されない鳥類用足環を提供することを目的とする。
【課題を解決するための手段】
【０００７】
本発明は、鳥類の足に取り付けられる鳥類用足環であって、一部切欠環形状をなし、かつ弾性変形可能な帯状本体部と、前記帯状本体部の長手方向一端に形成された一側嵌合部と、前記帯状本体部の長手方向他端に形成された他側嵌合部と、を具備し、前記帯状本体部の長手方向両端が互いに当該帯状本体部の径方向にのみ相対移動するように前記帯状本体部を弾性変形させて、前記一側嵌合部及び前記他側嵌合部が互いに嵌合してなることを特徴とする鳥類用足環である。
【０００８】
かかる構成にあっては、前記一側嵌合部及び他側嵌合部が嵌合して帯状本体部が環状となった状態において、両嵌合部が前記帯状本体部の軸方向にずれることがない。このため、鳥類の習性上、両嵌合部を離脱させることが困難となり、鳥類の足から外れてしまうおそれがなくなる。なお、本発明の鳥類用足環が取り付けられる鳥類は、家禽に限らず、愛玩動物も含まれる。
【０００９】
また、前記一側嵌合部は、前記帯状本体部の長手方向一端から周方向に沿って凸設されてなる凸状嵌合部であり、前記他側嵌合部は、前記帯状本体部の長手方向他端から周方向を深さ方向として凹設されてなり、かつ前記凸状嵌合部が挿入される挿入用開口部を有する凹状嵌合部であり、前記凹状嵌合部の前記挿入用開口部は、前記帯状本体部の径方向にのみ開口していることが望ましい。
【００１０】
かかる構成とすることによって、前記一側嵌合部及び他側嵌合部が嵌合して帯状本体部が環状となった状態において、前記帯状本体部の両端が軸方向にずれることを抑制することができる。勿論、両嵌合部が周方向に離脱してしまうこともない。
【００１１】
さらに、前記帯状本体部の外面には、識別情報が表示される情報表示面が形成されており、前記情報表示面の周囲には、当該帯状本体部の周方向に沿って形成され、かつ、径方向外側に向かって突出するリブが形成されている構成が提案される。
【００１２】
かかる構成にあっては、前記情報表示面が前記リブに対して窪んだ部位に配置されることとなり、当該情報表示面が傷ついたり欠損したりして、前記識別情報が認識不能となることを防止することができる。また、リブが形成されることで、前記帯状本体部の強度が向上する利点もある。
【図面の簡単な説明】
【００１３】
【図１】実施例にかかる鳥類用足環の外観斜視図である。
【図２】実施例にかかる鳥類用足環を鳥類の足に取り付けた状態を示す外観斜視図である。
【図３】図２のＡ−Ａ線断面図である。
【図４】従来の鳥類用足環の外観斜視図である。
【発明を実施するための形態】
【００１４】
以下に本発明を具体化した実施例を詳細に説明する。なお、本発明は、下記に示す実施例に限定されることはなく、適宜設計変更が可能である。
【００１５】
本実施例の鳥類用足環１を図１〜図３に従って説明する。
鳥類用足環１は、図１に示すように、一部切欠環形状をなし、弾性変形可能な長板形状の帯状本体部１０を具備している。例えば帯状本体部１０は、金属材料で構成されることが好ましい。
【００１６】
また、帯状本体部１０の長手方向一端には、帯状本体部１０の周方向に沿って突出した凸状嵌合部（一側嵌合部）２０が設けられている。また、凸状嵌合部２０の基端部には、帯状本体部１０の中心軸方向に巾狭となる首部２１が形成されている。
【００１７】
一方、帯状本体部１０の長手方向他端には、帯状本体部１０の周方向を深さ方向とした凹状嵌合部（他側嵌合部）３０が凹設されている。また、凹状嵌合部３０の先端には、帯状本体部１０の中心軸方向に沿って互いに近づくように膨出した一対の膨出部３１，３１が形成されている。
【００１８】
ここで、膨出部３１と首部２１とは、一対の膨出部３１，３１間に首部２１が嵌合可能な形状を有しており、一対の膨出部３１，３１の離間距離が、首部２１の巾寸法に対応している。また、凹状嵌合部３０は、凸状嵌合部２０が帯状本体部１０における径方向からのみ挿通可能となるように帯状本体部１０の径方向に沿って貫通状に開口した挿入用開口部Ｘを備えている。
【００１９】
また、帯状本体部１０の外面には、鳥類用足環１が取り付けられる鳥類の識別が可能な識別情報が表示される情報表示面４０が設けられている。さらに情報表示面４０の周囲であって、帯状本体部１０の短手方向両端には、周方向に沿って形成されたリブ５０，５０が径方向外側に向かって突出するように形成されている。
【００２０】
鳥類用足環１を取り付け対象となる鳥類の足Ｌに取り付ける際には、いわゆるＣ字状となっている帯状本体部１０の内側に鳥類の足Ｌを通した後、図２に示すように、凸状嵌合部２０と凹状嵌合部３０とを帯状本体部１０の径方向に相対移動させて互いに嵌合させる。
【００２１】
このようにして鳥類の足Ｌに取り付けられた鳥類用足環１にあっては、図３に示すように凸状嵌合部２０と凹状嵌合部３０とが互いに嵌合して中心軸方向への相対移動は発生しない。また、互いに引き抜き方向に力が加わっても抜脱することがない。従って鳥類につつかれることによって鳥類用足環１が外されてしまうおそれがない。
【００２２】
さらに、情報表示面４０の短手方向両端には径方向外側に向かって突出するリブ５０，５０が形成されているため、帯状本体部１０の剛性が向上して意図しない変形を防止すると共に、情報表示面４０に傷がついてしまうおそれを低減することができる。
【００２３】
なお、凸状嵌合部２０や凹状嵌合部３０の形状は必ずしも図１〜図３に示した形状とする必要はない。
【００２４】
情報表示面４０に表示する識別情報は、取り付けられた鳥類の名称や愛称、所有者の氏名、住所、又は連絡先等を自由に表示させることができる。識別情報の表示方法としては、印刷されたシールを貼付することや直接記入すること、又は刻印をすること等が提案されうるが、耐久性の点から刻印により表示する方法が望ましい。また、情報表示面４０以外の部位にさらに識別情報が表示されていても勿論よい。
【００２５】
鳥類用足環１の材料としては、金属以外にも、帯状本体部１０が弾性変形可能であれば適宜採用可能である。また、耐久性の向上や意匠性の向上を目的としてメッキ加工や着色塗装等がなされていてもよい。
【００２６】
さらに塗装や刻印によってリブ５０を含めた全体に装飾を施して意匠性を向上させてもよい。また、リブ５０をあえて設けない構成であっても勿論よい。
【００２７】
また、対象となる鳥類が愛玩動物として飼われているものの場合、飼い主用のものと合わせてペアリングとしてもよい。
【符号の説明】
【００２８】
１          鳥類用足環
１０        帯状本体部
２０        凸状嵌合部（一側嵌合部）
２１        首部
３０        凹状嵌合部（他側嵌合部）
３１        膨出部
４０        情報表示面
５０        リブ
【図１】
2018068197.tif 000003
【図２】
2018068197.tif 000004
【図３】
2018068197.tif 000005
【図４】
2018068197.tif 000006